(57)【要約】【課題】製造コスト上昇を抑制することが可能なコモンモードフィルタを提供すること。【解決手段】コモンモードフィルタは、第一入力端子電極と第一出力端子電極とに接続された第一コイルＣ１と、第二入力端子電極と第二出力端子電極とに接続された第二コイルＣ２と、を備える。第一及び第二コイルＣ１，Ｃ２は、複数の絶縁体層１０の積層方向において隣り合うように位置し且つ電流の向きが同一となる部分を有する。第一コイルＣ１は、素体２内に配置された複数の第一導体１１，１２と、素体２の外表面に配置されると共に複数の第一導体１１，１２を直列に接続する第一接続導体７と、を含んで構成され、第二コイルＣ２は、素体２内に配置された複数の第二導体２１，２２と、素体２の外表面に配置されると共に複数の第二導体２１，２２を直列に接続する第二接続導体８と、を含んで構成される。【選択図】図２
2014013824.tif 000002
【特許請求の範囲】
【請求項１】
複数の絶縁体層が積層された素体と、
前記素体の外表面に配置された第一及び第二入力端子電極並びに第一及び第二出力端子と、
一端が前記第一入力端子電極に接続されると共に他端が前記第一出力端子電極に接続された第一コイルと、
一端が前記第二入力端子電極に接続されると共に他端が前記第二出力端子電極に接続された第二コイルと、を備え、
前記第一コイルと前記第二コイルとは、前記複数の絶縁体層の積層方向又は同一層において隣り合うように位置し且つ電流の向きが同一となる部分をそれぞれ有し、
前記第一コイルは、前記素体内に配置された複数の第一導体と、前記素体の前記外表面に配置されると共に前記複数の第一導体を直列に接続する第一接続導体と、を含んで構成され、
前記第二コイルは、前記素体内に配置された複数の第二導体と、前記素体の前記外表面に配置されると共に前記複数の第二導体を直列に接続する第二接続導体と、を含んで構成されていることを特徴とするコモンモードフィルタ。
【請求項２】
前記複数の第一導体は、前記積層方向に隣り合うように配置され、前記複数の第二導体は、前記積層方向に隣り合うように配置されており、
前記第一コイルと前記第二コイルとは、前記積層方向に離れるように位置していることを特徴とする請求項１に記載のコモンモードフィルタ。
【請求項３】
前記素体は、略直方体形状を呈しており、
前記第一コイルと前記第二コイルとが有する、電流の向きが同一となる前記部分は、前記素体の長手方向に延びていることを特徴とする請求項１又は２に記載のコモンモードフィルタ。
【請求項４】
前記素体は、前記外表面として互いに対向する第一面と第二面とを有し、
前記第一入力端子電極、前記第一出力端子電極、及び前記第一接続導体は、前記第一面側に位置し、
前記第二入力端子電極、前記第二出力端子電極、及び前記第二接続導体は、前記第二面側に位置していることを特徴とする請求項１〜３のいずれか一項に記載のコモンモードフィルタ。
【発明の詳細な説明】
【技術分野】
【０００１】
本発明は、コモンモードフィルタに関する。
【背景技術】
【０００２】
コモンモードフィルタとして、複数の絶縁体層が積層された素体と、素体の外表面に配置された第一及び第二入力端子電極並びに第一及び第二出力端子と、一端が第一入力端子電極に接続されると共に他端が第一出力端子電極に接続された第一コイルと、一端が第二入力端子電極に接続されると共に他端が第二出力端子電極に接続された第二コイルと、を備えたものが知られている（たとえば、特許文献１参照）。
【先行技術文献】
【特許文献】
【０００３】
【特許文献１】特開２００７−０５９５３９号公報
【発明の概要】
【発明が解決しようとする課題】
【０００４】
特許文献１に記載されたコモンモードフィルタでは、第一及び第二コイルが、素体内に配置された複数の導体と、素体内に配置されると共に複数の導体を直列に接続するスルーホール導体と、をそれぞれ含んで構成されている。複数の導体がスルーホール導体により接続されるため、スルーホールを形成する工程が新たに必要となる。複数の導体とスルーホール導体とが適切に接続されるために、複数の導体の位置及びスルーホールの位置などに高い精度が求められる。これらは、コモンモードフィルタの製造コスト上昇の要因となる懼れがある。
【０００５】
本発明は、製造コストの上昇を抑制することが可能なコモンモードフィルタを提供することを目的とする。
【課題を解決するための手段】
【０００６】
本発明に係るコモンモードフィルタは、複数の絶縁体層が積層された素体と、素体の外表面に配置された第一及び第二入力端子電極並びに第一及び第二出力端子と、一端が第一入力端子電極に接続されると共に他端が第一出力端子電極に接続された第一コイルと、一端が第二入力端子電極に接続されると共に他端が第二出力端子電極に接続された第二コイルと、を備え、第一コイルと第二コイルとは、複数の絶縁体層の積層方向又は同一層において隣り合うように位置し且つ電流の向きが同一となる部分をそれぞれ有し、第一コイルは、素体内に配置された複数の第一導体と、素体の外表面に配置されると共に複数の第一導体を直列に接続する第一接続導体と、を含んで構成され、第二コイルは、素体内に配置された複数の第二導体と、素体の外表面に配置されると共に複数の第二導体を直列に接続する第二接続導体と、を含んで構成されていることを特徴とする。
【０００７】
本発明に係るコモンモードフィルタでは、第一コイルと第二コイルとが、複数の絶縁体層の積層方向又は同一層において隣り合うように位置し且つ電流の向きが同一となる部分をそれぞれ有しているので、当該部分によりコモンモードノイズに対してインダクタンスが発生し、コモンモードノイズの通過が阻止される。第一コイルを構成することとなる複数の第一導体が、素体の外表面に配置された第一接続導体により直列に接続され、第二コイルを構成することとなる複数の第二導体が、素体の外表面に配置された第二接続導体により直列に接続されている。このように、スルーホール導体（スルーホール）を形成する必要がないため、製造コストの上昇を抑制することができる。
【０００８】
複数の第一導体は、積層方向に隣り合うように配置され、複数の第二導体は、積層方向に隣り合うように配置されており、第一コイルと第二コイルとは、積層方向に離れるように位置していてもよい。この場合、第一コイルと第二コイルとが積層方向に離れて位置することとなるので、ディファレンシャルモードでの特性悪化を抑制することができる。
【０００９】
素体は、略直方体形状を呈しており、第一コイルと第二コイルとが有する、電流の向きが同一となる部分は、素体の長手方向に延びていてもよい。この場合、発生するインダクタンスが大きく、コモンモードノイズの通過をより一層阻止できる。
【００１０】
素体は、外表面として互いに対向する第一面と第二面とを有し、第一入力端子電極、第一出力端子電極、及び第一接続導体は、第一面側に位置し、第二入力端子電極、第二出力端子電極、及び第二接続導体は、第二面側に位置していてもよい。この場合、第一入力端子電極、第一出力端子電極、及び第一接続導体が同じ面側に位置すると共に、第二入力端子電極、第二出力端子電極、及び第二接続導体が同じ面側に位置する。このため、各端子電極及び各接続導体の形成が容易となり、製造コストの上昇をより一層抑制することができる。
【発明の効果】
【００１１】
本発明によれば、製造コスト上昇を抑制することが可能なコモンモードフィルタを提供することができる。
【図面の簡単な説明】
【００１２】
【図１】本実施形態に係るコモンモードフィルタを示す斜視図である。
【図２】素体並びに第一及び第二導体の構成を示す分解斜視図である。
【図３】第一及び第二導体を示す平面図である。
【図４】本実施形態に係るコモンモードフィルタの実装構造を説明するための図である。
【図５】変形例における、素体並びに第一及び第二導体の構成を示す分解斜視図である。
【図６】第一及び第二導体を示す平面図である。
【図７】本実施形態の変形例に係るコモンモードフィルタを示す斜視図である。
【図８】素体並びに第一及び第二導体の構成を示す分解斜視図である。
【図９】第一及び第二導体を示す平面図である。
【図１０】変形例における、素体並びに第一及び第二導体の構成を示す分解斜視図である。
【図１１】第一及び第二導体を示す平面図である。
【図１２】本実施形態の変形例に係るコモンモードフィルタを示す斜視図である。
【図１３】素体並びに第一及び第二導体の構成を示す分解斜視図である。
【図１４】第一及び第二導体を示す平面図である。
【図１５】本実施形態の変形例に係るコモンモードフィルタの実装構造を説明するための図である。
【図１６】本実施形態の変形例に係るコモンモードフィルタを示す斜視図である。
【図１７】素体並びに第一及び第二導体の構成を示す分解斜視図である。
【図１８】第一及び第二導体を示す平面図である。
【図１９】本実施形態の変形例に係るコモンモードフィルタを示す斜視図である。
【図２０】素体並びに第一及び第二導体の構成を示す分解斜視図である。
【図２１】第一及び第二導体を示す平面図である。
【図２２】本実施形態の変形例に係るコモンモードフィルタの実装構造を説明するための図である。
【図２３】本実施形態の変形例に係るコモンモードフィルタを示す斜視図である。
【図２４】素体並びに第一及び第二導体の構成を示す分解斜視図である。
【図２５】第一及び第二導体を示す平面図である。
【図２６】実施例におけるコモンモードノイズに対する減衰特性を示す線図である。
【発明を実施するための形態】
【００１３】
以下、添付図面を参照して、本発明の好適な実施形態について詳細に説明する。なお、説明において、同一要素又は同一機能を有する要素には、同一符号を用いることとし、重複する説明は省略する。
【００１４】
図１〜図３を参照して、本実施形態に係るコモンモードフィルタＣＭＦ１の構成を説明する。図１は、本実施形態に係るコモンモードフィルタを示す斜視図である。図２は、素体並びに第一及び第二導体の構成を示す分解斜視図である。図３は、第一及び第二導体を示す平面図である。
【００１５】
コモンモードフィルタＣＭＦ１は、素体２と、素体２の外表面に配置される第一入力端子電極３、第一出力端子電極４、第二入力端子電極５、第二出力端子電極６、第一接続導体７、及び第二接続導体８と、を備えている。
【００１６】
素体２は、図１に示されるように、略直方体形状を呈しており、その外表面として、互いに対向する略長方形状の第一及び第二主面２ａ，２ｂと、互いに対向する第一及び第二側面２ｃ，２ｄと、互いに対向する第三及び第四側面２ｅ，２ｆと、を有している。第一及び第二側面２ｃ，２ｄは、第一及び第二主面２ａ，２ｂの間を連結するように第一及び第二主面２ａ，２ｂの長辺方向に伸びている。第三及び第四側面２ｅ，２ｆは、第一及び第二主面２ａ，２ｂ間を連結するように第一及び第二主面２ａ，２ｂの短辺方向に伸びている。
【００１７】
素体２は、図２にも示されるように、第一及び第二主面２ａ，２ｂの対向方向に複数の絶縁体層１０が積層されて構成されている。素体２では、複数の絶縁体層１０の積層方向（以下、単に「積層方向」と称する。）が第一及び第二主面２ａ，２ｂの対向方向と一致する。各絶縁体層１０は、たとえば誘電体材料（ＢａＴｉＯ３系、Ｂａ(Ｔｉ，Ｚｒ)Ｏ３系、又は（Ｂａ，Ｃａ）ＴｉＯ３系などの誘電体セラミック）を含むセラミックグリーンシートの焼結体から構成される。実際の素体２では、各絶縁体層１０の間の境界が視認できない程度に一体化されている。
【００１８】
第一入力端子電極３、第一出力端子電極４、及び第一接続導体７は、素体２の第一側面２ｃ側に配置されている。第一入力端子電極３、第一出力端子電極４、及び第一接続導体７は、第一側面２ｃの一部を第一及び第二主面２ａ，２ｂの対向方向に沿って覆うように、第一及び第二主面２ａ，２ｂにわたって形成されている。第一入力端子電極３、第一出力端子電極４、及び第一接続導体７は、素体２の第一側面２ｃにおいて、第三側面２ｅから第四側面２ｆに向かう方向で、第一入力端子電極３、第一接続導体７、第一出力端子電極４の順で配置されている。
【００１９】
第二入力端子電極５、第二出力端子電極６、及び第二接続導体８は、素体２の第二側面２ｄ側に配置されている。第二入力端子電極５、第二出力端子電極６、及び第二接続導体８は、第二側面２ｄの一部を第一及び第二主面２ａ，２ｂの対向方向に沿って覆うように、第一及び第二主面２ａ，２ｂにわたって形成されている。第二入力端子電極５、第二出力端子電極６、及び第二接続導体８は、素体２の第二側面２ｄにおいて、第三側面２ｅから第四側面２ｆに向かう方向で、第二入力端子電極５、第二接続導体８、第二出力端子電極６の順で配置されている。
【００２０】
第一入力端子電極３と第二入力端子電極５とは、第一及び第二側面２ｃ，２ｄの対向方向で互いに対向して配置されている。第一出力端子電極４と第二出力端子電極６とは、第一及び第二側面２ｃ，２ｄの対向方向で互いに対向して配置されている。第一接続導体７と第二接続導体８とは、第一及び第二側面２ｃ，２ｄの対向方向で互いに対向して配置されている。
【００２１】
各端子電極３〜６と各接続導体７，８とは、たとえば導電性金属粉末及びガラスフリットを含む導電性ペーストを素体２の外表面に付与し、焼き付けることによって形成される。必要に応じて、焼き付けられた端子電極の上にめっき層が形成されることもある。
【００２２】
コモンモードフィルタＣＭＦ１は、図２及び図３に示されるように、複数の第一導体１１，１２と複数の第二導体２１，２２とを備えている。コモンモードフィルタＣＭＦ１は、本実施形態では、二つの第一導体１１，１２と二つの第二導体２１，２２とを備えている。各導体１１，１２，２１，２２は、素体２内に配置されている。各導体１１，１２，２１，２２は、積層方向において異なる層に位置している。各導体１１，１２，２１，２２は、積層型の電気素子の内部電極として通常用いられる導電性材料からなる。各導体１１，１２，２１，２２は、導電性材料を含む導電性ペーストの焼結体として構成される。
【００２３】
第一導体１１と第一導体１２とは、積層方向に隣り合うように配置されている。第一導体１１と第一導体１２との間に位置する絶縁体層１０の数は、少なくとも一層あればよい。第二導体２１と第二導体２２は、積層方向に隣り合うように配置されている。第二導体２１と第二導体２２との間に位置する絶縁体層１０の数も、少なくとも一層あればよい。
【００２４】
第一導体１１，１２は、素体２内において、第一主面２ａ寄りに位置している。第二導体２１，２２は、素体２内において、第二主面２ｂ寄りに位置している。第一導体１１，１２からなる導体群と、第二導体２１，２２からなる導体群と、の積層方向での間隔は、第一導体１１，１２同士の積層方向での間隔及び第二導体２１，２２同士の積層方向での間隔よりも大きく設定されている。すなわち、第一導体１１，１２からなる導体群と第二導体２１，２２からなる導体群とは、積層方向において、離されている。
【００２５】
第一導体１１は、図３の（ａ）にも示されるように、引出部１１ａ，１１ｂ及びコイル部１１ｃを有している。引出部１１ａは、その一端が第一側面２ｃに露出し、当該一端から第一及び第二側面２ｃ，２ｄの対向方向に延びるように形成されている。引出部１１ａは、第一側面２ｃに露出している一端で第一入力端子電極３に接続されている。引出部１１ｂは、その一端が第一側面２ｃに露出し、当該一端から第一及び第二側面２ｃ，２ｄの対向方向に延びるように形成されている。引出部１１ｂは、第一側面２ｃに露出している一端で第一接続導体７に接続されている。
【００２６】
コイル部１１ｃは、一端が引出部１１ａの他端に接続され、他端が引出部１１ｂの他端に接続されている。コイル部１１ｃは、素体２の長手方向（第三及び第四側面２ｅ，２ｆの対向方向）に延びる部分と、素体２の短手方向（第一及び第二側面２ｃ，２ｄの対向方向）に延びる部分と、を含んでおり、略３／４ターンのパターンとされている。
【００２７】
第一導体１２は、図３の（ｂ）にも示されるように、引出部１２ａ，１２ｂ及びコイル部１２ｃを有している。引出部１２ａは、その一端が第一側面２ｃに露出し、当該一端から第一及び第二側面２ｃ，２ｄの対向方向に延びるように形成されている。引出部１２ａは、第一側面２ｃに露出している一端で第一接続導体７に接続されている。引出部１２ｂは、その一端が第一側面２ｃに露出し、当該一端から第一及び第二側面２ｃ，２ｄの対向方向に延びるように形成されている。引出部１２ｂは、第一側面２ｃに露出している一端で第一出力端子電極４に接続されている。
【００２８】
コイル部１２ｃは、一端が引出部１２ａの他端に接続され、他端が引出部１２ｂの他端に接続されている。コイル部１２ｃは、素体２の長手方向に延びる部分と、素体２の短手方向に延びる部分と、を含んでおり、略３／４ターンのパターンとされている。
【００２９】
第一導体１１，１２同士は、第一接続導体７により直列に接続されている。第一入力端子電極３と第一出力端子電極４とは、第一導体１１，１２と第一接続導体７とを介して、電気的に接続されている。これにより、第一導体１１，１２と第一接続導体７とは、第一コイルＣ１を構成し、第一コイルＣ１が、一端が第一入力端子電極３に接続され、他端が第一出力端子電極４に接続されることとなる。第一コイルＣ１は、素体２内において、第一主面２ａ（第二主面２ｂ）に直交する方向、すなわち積層方向から見て、第一側面２ｃ寄りに位置している。
【００３０】
第二導体２１は、図３の（ｃ）にも示されるように、引出部２１ａ，２１ｂ及びコイル部２１ｃを有している。引出部２１ａは、その一端が第二側面２ｄに露出し、当該一端から第一及び第二側面２ｃ，２ｄの対向方向に延びるように形成されている。引出部２１ａは、第二側面２ｄに露出している一端で第二入力端子電極５に接続されている。引出部２１ｂは、その一端が第二側面２ｄに露出し、当該一端から第一及び第二側面２ｃ，２ｄの対向方向に延びるように形成されている。引出部２１ｂは、第二側面２ｄに露出している一端で第二接続導体８に接続されている。
【００３１】
コイル部２１ｃは、一端が引出部２１ａの他端に接続され、他端が引出部２１ｂの他端に接続されている。コイル部２１ｃは、素体２の長手方向に延びる部分と、素体２の短手方向に延びる部分と、を含んでおり、略３／４ターンのパターンとされている。
【００３２】
第二導体２２は、図３の（ｄ）にも示されるように、引出部２２ａ，２２ｂ及びコイル部２２ｃを有している。引出部２２ａは、その一端が第二側面２ｄに露出し、当該一端から第一及び第二側面２ｃ，２ｄの対向方向に延びるように形成されている。引出部２２ａは、第二側面２ｄに露出している一端で第二接続導体８に接続されている。引出部２２ｂは、その一端が第二側面２ｄに露出し、当該一端から第一及び第二側面２ｃ，２ｄの対向方向に延びるように形成されている。引出部２２ｂは、第二側面２ｄに露出している一端で第二出力端子電極６に接続されている。
【００３３】
コイル部２２ｃは、一端が引出部２２ａの他端に接続され、他端が引出部２２ｂの他端に接続されている。コイル部２２ｃは、素体２の長手方向に延びる部分と、素体２の短手方向に延びる部分と、を含んでおり、略３／４ターンのパターンとされている。
【００３４】
第二導体２１，２２同士は、第二接続導体８により直列に接続されている。第二入力端子電極５と第二出力端子電極６とは、第二導体２１，２２と第二接続導体８とを介して、電気的に接続されている。これにより、第二導体２１，２２と第二接続導体８とは、第二コイルＣ２を構成し、第二コイルＣ２が、一端が第二入力端子電極５に接続され、他端が第二出力端子電極６に接続されることとなる。第二コイルＣ２は、素体２内において、第一主面２ａ（第二主面２ｂ）に直交する方向、すなわち積層方向から見て、第二側面２ｄ寄りに位置している。
【００３５】
第一導体１１，１２と第二導体２１，２２とは、積層方向で隣り合う部分を含んでいる。すなわち、第一導体１１，１２と第二導体２１，２２とは、第一及び第二側面２ｃ，２ｄの対向方向で中央領域に位置し且つ素体２の長手方向に延びる部分が積層方向で対向し且つ重なっている。各導体１１，１２，２１，２２において積層方向で重なる部分には、同じ方向（図３中、矢印方向）に電流（コモンモードの電流成分）が流れる。図３では、説明のため、各導体１１，１２，２１，２２において積層方向で重なる部分にハッチングが付されている。
【００３６】
したがって、第一導体１１，１２及び第一接続導体７を含んで構成される第一コイルＣ１と第二導体２１，２２及び第二接続導体８を含んで構成される第二コイルＣ２とは、積層方向において隣り合うように位置し且つ電流（コモンモードの電流成分）の向きが同一となる部分をそれぞれ有することとなる。第一コイルＣ１と第二コイルＣ２とが有する、電流（コモンモードの電流成分）の向きが同一となる上記部分は、素体２の長手方向に延びている。
【００３７】
コモンモードフィルタＣＭＦ１では、第二主面２ｂが、他の電子機器（たとえば、回路基板又は電子部品など）に対向する実装面となる。すなわち、コモンモードフィルタＣＭＦ１は、図４に示されるように、第二主面２ｂが電子機器ＥＤ１（たとえば、回路基板又は電子部品など）と対向するように、はんだ付けなどにより実装される。コモンモードフィルタＣＭＦ１では、第一入力端子電極３、第一出力端子電極４、第二入力端子電極５、及び第二出力端子電極６が、電子機器ＥＤ１の対応するランド電極ＬＥに接続される。第一及び第二接続導体７，８は、電子機器ＥＤ１のランド電極には接続されない。
【００３８】
以上のように、本実施形態では、第一コイルＣ１と第二コイルＣ２とが、積層方向で隣り合うように位置し且つ電流（コモンモードの電流成分）の向きが同一となる部分をそれぞれ有しているので、当該部分によりコモンモードノイズに対してインダクタンスが発生し、コモンモードノイズの通過が阻止される。第一コイルＣ１を構成することとなる第一導体１１，１２が、素体２の第一側面２ｃに配置された第一接続導体７により直列に接続され、第二コイルＣ２を構成することとなる第二導体２１，２２が、素体２の第二側面２ｄに配置された第二接続導体８により直列に接続されている。このように、コモンモードフィルタＣＭＦ１では、スルーホール導体（スルーホール）を形成する必要がないため、製造コストの上昇を抑制することができる。
【００３９】
第一導体１１，１２は、積層方向に隣り合うように配置され、第二導体２１，２２は、積層方向に隣り合うように配置されている。第一導体１１，１２からなる導体群と第二導体２１，２２からなる導体群との積層方向での間隔は、第一導体１１，１２同士の積層方向での間隔及び第二導体２１，２２同士の積層方向での間隔よりも大きく設定されており、第一導体１１，１２からなる導体群と第二導体２１，２２からなる導体群とは、積層方向において離されている。すなわち、第一コイルＣ１と第二コイルＣ２とは、積層方向に離れるように位置している。これにより、第一コイルＣ１と第二コイルＣ２とが積層方向に離れて位置することとなるので、ディファレンシャルモードでの特性悪化を抑制することができる。
【００４０】
素体２は、略直方体形状を呈しており、第一コイルＣ１と第二コイルＣ２とが有する、電流（コモンモードの電流成分）の向きが同一となる部分は、素体２の長手方向に延びている。これにより、コモンモードフィルタＣＭＦ１では、発生するインダクタンスが大きく、コモンモードノイズの通過をより一層確実に阻止できる。
【００４１】
第一入力端子電極３、第一出力端子電極４、及び第一接続導体７は、第一側面２ｃ側に位置し、第二入力端子電極５、第二出力端子電極６、及び第二接続導体８は、第二側面２ｄ側に位置している。すなわち、第一入力端子電極３、第一出力端子電極４、及び第一接続導体７が素体２の同じ面側に位置すると共に、第二入力端子電極５、第二出力端子電極６、及び第二接続導体８が素体２の同じ面側に位置する。このため、各端子電極３〜６及び各接続導体７，８の形成が容易となり、コモンモードフィルタＣＭＦ１の製造コストの上昇をより一層抑制することができる。
【００４２】
続いて、図５及び図６を参照して、本実施形態の変形例に係るコモンモードフィルタの構成を説明する。本変形例は、各導体１１，１２，２１，２２の積層方向における位置が上述した実施形態に係るコモンモードフィルタＣＭＦ１と相違する。図５は、素体並びに第一及び第二導体の構成を示す分解斜視図である。図６は、第一及び第二導体を示す平面図である。
【００４３】
本変形例に係るコモンモードフィルタは、図示は省略するが、上述したコモンモードフィルタＣＭＦ１と同じく、素体２、各端子電極３〜６、及び各接続導体７，８を備えている。本変形例に係るコモンモードフィルタは、図５及び図６に示されるように、第一導体１１，１２と第二導体２１，２２とを備えている。
【００４４】
第一導体１１と第二導体２１とは、積層方向において同じ層に位置する。第一導体１２と第二導体２２とは、積層方向において同じ層に位置する。第一導体１１と第一導体１２とは、積層方向に隣り合うように配置されている。第二導体２１と第二導体２２は、積層方向に隣り合うように配置されている。
【００４５】
第一導体１１，１２と第二導体２１，２２とは、同一層において隣り合う部分を含んでいる。すなわち、第一導体１１，１２と第二導体２１，２２とは、第一及び第二側面２ｃ，２ｄの対向方向で中央領域に位置し且つ素体２の長手方向に延びる部分が同一層で隣り合っている。各導体１１，１２，２１，２２において同一層で隣り合っている部分には、同じ方向（図６中、矢印方向）に電流（コモンモードの電流成分）が流れる。
【００４６】
したがって、第一導体１１，１２及び第一接続導体７を含んで構成される第一コイルＣ１と第二導体２１，２２及び第二接続導体８を含んで構成される第二コイルＣ２とは、同一層で隣り合うように位置し且つ電流（コモンモードの電流成分）の向きが同一となる部分をそれぞれ有することとなる。第一コイルＣ１と第二コイルＣ２とが有する、電流（コモンモードの電流成分）の向きが同一となる上記部分は、素体２の長手方向に延びている。
【００４７】
以上のように、本変形例では、第一コイルＣ１と第二コイルＣ２とが、同一層で隣り合うように位置し且つ電流（コモンモードの電流成分）の向きが同一となる部分をそれぞれ有しているので、当該部分によりコモンモードノイズに対してインダクタンスが発生し、コモンモードノイズの通過が阻止される。本変形例では、上述した実施形態と同様に、スルーホール導体（スルーホール）を形成する必要がないため、製造コストの上昇を抑制することができる。
【００４８】
本変形例でも、第一コイルＣ１と第二コイルＣ２とが有する、電流（コモンモードの電流成分）の向きが同一となる部分は、素体２の長手方向に延びている。これにより、発生するインダクタンスが大きく、コモンモードノイズの通過をより一層確実に阻止できる。
【００４９】
次に、図７〜図９を参照して、本実施形態の変形例に係るコモンモードフィルタＣＭＦ２の構成を説明する。図７は、変形例に係るコモンモードフィルタを示す斜視図である。図８は、変形例における、素体並びに第一及び第二導体の構成を示す分解斜視図である。図９は、第一及び第二導体を示す平面図である。
【００５０】
コモンモードフィルタＣＭＦ２は、図７に示されるように、素体２、第一入力端子電極３、第一出力端子電極４、第二入力端子電極５、第二出力端子電極６、第一接続導体７、及び第二接続導体８を備えている。
【００５１】
第一入力端子電極３、第一出力端子電極４、及び第二接続導体８は、素体２の第一側面２ｃ側に配置されている。第一入力端子電極３、第一出力端子電極４、及び第二接続導体８は、素体２の第一側面２ｃにおいて、第三側面２ｅから第四側面２ｆに向かう方向で、第一入力端子電極３、第二接続導体８、第一出力端子電極４の順で配置されている。第二入力端子電極５、第二出力端子電極６、及び第一接続導体７は、素体２の第二側面２ｄ側に配置されている。第二入力端子電極５、第二出力端子電極６、及び第一接続導体７は、素体２の第二側面２ｄにおいて、第三側面２ｅから第四側面２ｆに向かう方向で、第二入力端子電極５、第一接続導体７、第二出力端子電極６の順で配置されている。
【００５２】
コモンモードフィルタＣＭＦ２は、図８及び図９に示されるように、複数の第一導体３１，３２と複数の第二導体４１，４２とを備えている。コモンモードフィルタＣＭＦ２は、本実施形態では、二つの第一導体３１，３２と二つの第二導体４１，４２とを備えている。各導体３１，３２，４１，４２は、素体２内に配置されている。各導体３１，３２，４１，４２は、積層方向において異なる層に位置している。各導体３１，３２，４１，４２も、積層型の電気素子の内部電極として通常用いられる導電性材料からなる。各導体３１，３２，４１，４２は、導電性材料を含む導電性ペーストの焼結体として構成される。
【００５３】
第一導体３１と第一導体３２とは、積層方向に隣り合うように配置されている。第一導体３１と第一導体３２との間に位置する絶縁体層１０の数は、少なくとも一層あればよい。第二導体４１と第二導体４２は、積層方向に隣り合うように配置されている。第二導体４１と第二導体４２との間に位置する絶縁体層１０の数も、少なくとも一層あればよい。
【００５４】
第一導体３１，３２からなる導体群と、第二導体４１，４２からなる導体群と、の積層方向での間隔は、第一導体３１，３２同士の積層方向での間隔及び第二導体４１，４２同士の積層方向での間隔よりも大きく設定されている。すなわち、第一導体３１，３２からなる導体群と第二導体４１，４２からなる導体群とは、積層方向において、離されている。
【００５５】
第一導体３１は、図９の（ａ）にも示されるように、引出部３１ａ，３１ｂ及びコイル部３１ｃを有している。引出部３１ａは、その一端が第一側面２ｃに露出し、当該一端から第一及び第二側面２ｃ，２ｄの対向方向に延びるように形成されている。引出部３１ａは、第一側面２ｃに露出している一端で第一入力端子電極３に接続されている。引出部３１ｂは、その一端が第二側面２ｄに露出し、当該一端から第一及び第二側面２ｃ，２ｄの対向方向に延びるように形成されている。引出部３１ｂは、第二側面２ｄに露出している一端で第一接続導体７に接続されている。
【００５６】
コイル部３１ｃは、一端が引出部３１ａの他端に接続され、他端が引出部３１ｂの他端に接続されている。コイル部３１ｃは、素体２の長手方向に延びる部分と、素体２の短手方向に延びる部分と、を含んでおり、略３／４ターンのパターンとされている。
【００５７】
第一導体３２は、図９の（ｂ）に示されるように、引出部３２ａ，３２ｂ及びコイル部３２ｃを有している。引出部３２ａは、その一端が第二側面２ｄに露出し、当該一端から第一及び第二側面２ｃ，２ｄの対向方向に延びるように形成されている。引出部３２ａは、第二側面２ｄに露出している一端で第一接続導体７に接続されている。引出部３２ｂは、その一端が第一側面２ｃに露出し、当該一端から第一及び第二側面２ｃ，２ｄの対向方向に延びるように形成されている。引出部３２ｂは、第一側面２ｃに露出している一端で第一出力端子電極４に接続されている。
【００５８】
コイル部３２ｃは、一端が引出部３２ａの他端に接続され、他端が引出部３２ｂの他端に接続されている。コイル部３２ｃは、素体２の長手方向に延びる部分と、素体２の短手方向に延びる部分と、を含んでおり、略３／４ターンのパターンとされている。
【００５９】
第一導体３１，３２同士は、第一接続導体７により直列に接続されている。第一入力端子電極３と第一出力端子電極４とは、第一導体３１，３２と第一接続導体７とを介して、電気的に接続されている。これにより、第一導体３１，３２と第一接続導体７とは、第一コイルＣ１を構成し、第一コイルＣ１が、一端が第一入力端子電極３に接続され、他端が第一出力端子電極４に接続されることとなる。第一コイルＣ１は、素体２内において、第一主面２ａ（第二主面２ｂ）に直交する方向、すなわち積層方向から見て、第一側面２ｃ寄りに位置している。
【００６０】
第二導体４１は、図９の（ｃ）にも示されるように、引出部４１ａ，４１ｂ及びコイル部４１ｃを有している。引出部４１ａは、その一端が第二側面２ｄに露出し、当該一端から第一及び第二側面２ｃ，２ｄの対向方向に延びるように形成されている。引出部４１ａは、第二側面２ｄに露出している一端で第二入力端子電極５に接続されている。引出部４１ｂは、その一端が第一側面２ｃに露出し、当該一端から第一及び第二側面２ｃ，２ｄの対向方向に延びるように形成されている。引出部４１ｂは、第一側面２ｃに露出している一端で第二接続導体８に接続されている。
【００６１】
コイル部４１ｃは、一端が引出部４１ａの他端に接続され、他端が引出部４１ｂの他端に接続されている。コイル部４１ｃは、素体２の長手方向に延びる部分と、素体２の短手方向に延びる部分と、を含んでおり、略３／４ターンのパターンとされている。
【００６２】
第二導体４２は、図９の（ｄ）に示されるように、引出部４２ａ，４２ｂ及びコイル部４２ｃを有している。引出部４２ａは、その一端が第一側面２ｃに露出し、当該一端から第一及び第二側面２ｃ，２ｄの対向方向に延びるように形成されている。引出部４２ａは、第一側面２ｃに露出している一端で第二接続導体８に接続されている。引出部４２ｂは、その一端が第二側面２ｄに露出し、当該一端から第一及び第二側面２ｃ，２ｄの対向方向に延びるように形成されている。引出部２２ｂは、第二側面２ｄに露出している一端で第二出力端子電極６に接続されている。
【００６３】
コイル部４２ｃは、一端が引出部４２ａの他端に接続され、他端が引出部４２ｂの他端に接続されている。コイル部４２ｃは、素体２の長手方向に延びる部分と、素体２の短手方向に延びる部分と、を含んでおり、略３／４ターンのパターンとされている。
【００６４】
第二導体４１，４２同士は、第二接続導体８により直列に接続されている。第二入力端子電極５と第二出力端子電極６とは、第二導体４１，４２と第二接続導体８とを介して、電気的に接続されている。これにより、第二導体４１，４２と第二接続導体８とは、第二コイルＣ２を構成し、第二コイルＣ２が、一端が第二入力端子電極５に接続され、他端が第二出力端子電極６に接続されることとなる。第二コイルＣ２は、素体２内において、第一主面２ａ（第二主面２ｂ）に直交する方向、すなわち積層方向から見て、第二側面２ｄ寄りに位置している。
【００６５】
第一導体３１，３２と第二導体４１，４２とは、積層方向で隣り合う部分を含んでいる。すなわち、第一導体３１，３２と第二導体４１，４２とは、第一及び第二側面２ｃ，２ｄの対向方向で中央領域に位置し且つ素体２の長手方向に延びる部分が積層方向で対向し且つ重なっている。各導体３１，３２，４１，４２において積層方向で重なる部分には、同じ方向（図９中、矢印方向）に電流（コモンモードの電流成分）が流れる。図９では、説明のため、各導体３１，３２，４１，４２において積層方向で重なる部分にハッチングが付されている。
【００６６】
したがって、第一導体３１，３２及び第一接続導体７を含んで構成される第一コイルＣ１と第二導体４１，４２及び第二接続導体８を含んで構成される第二コイルＣ２とは、積層方向において隣り合うように位置し且つ電流（コモンモードの電流成分）の向きが同一となる部分をそれぞれ有することとなる。第一コイルＣ１と第二コイルＣ２とが有する、電流（コモンモードの電流成分）の向きが同一となる上記部分は、素体２の長手方向に延びている。
【００６７】
以上のように、本変形例でも、第一コイルＣ１と第二コイルＣ２とがそれぞれ有する、積層方向で隣り合うように位置し且つ電流（コモンモードの電流成分）の向きが同一となる部分によりコモンモードノイズに対してインダクタンスが発生し、コモンモードノイズの通過が阻止される。第一コイルＣ１を構成することとなる第一導体３１，３２が、素体２の第二側面２ｄに配置された第一接続導体７により直列に接続され、第二コイルＣ２を構成することとなる第二導体４１，４２が、素体２の第一側面２ｃに配置された第二接続導体８により直列に接続されている。このように、コモンモードフィルタＣＭＦ２では、スルーホール導体（スルーホール）を形成する必要がないため、製造コストの上昇を抑制することができる。
【００６８】
第一導体３１，３２は、積層方向に隣り合うように配置され、第二導体４１，４２は、積層方向に隣り合うように配置されている。第一導体３１，３２からなる導体群と第二導体４１，４２からなる導体群との積層方向での間隔は、第一導体３１，３２同士の積層方向での間隔及び第二導体４１，４２同士の積層方向での間隔よりも大きく設定されており、第一導体３１，３２からなる導体群と第二導体４１，４２からなる導体群とは、積層方向において離されている。すなわち、第一コイルＣ１と第二コイルＣ２とは、積層方向に離れるように位置している。これにより、第一コイルＣ１と第二コイルＣ２とが積層方向に離れて位置することとなるので、ディファレンシャルモードでの特性悪化を抑制することができる。
【００６９】
素体２は、第一コイルＣ１と第二コイルＣ２とが有する、電流（コモンモードの電流成分）の向きが同一となる部分は、素体２の長手方向に延びている。これにより、コモンモードフィルタＣＭＦ２では、発生するインダクタンスが大きく、コモンモードノイズの通過をより一層確実に阻止できる。
【００７０】
続いて、図１０及び図１１を参照して、本実施形態の変形例に係るコモンモードフィルタの構成を説明する。本変形例は、各導体１１，１２，２１，２２の形状が上述した変形例に係るコモンモードフィルタＣＭＦ２と相違する。図１０は、素体並びに第一及び第二導体の構成を示す分解斜視図である。図１１は、第一及び第二導体を示す平面図である。
【００７１】
本変形例に係るコモンモードフィルタは、図示は省略するが、上述したコモンモードフィルタＣＭＦ２と同じく、素体２、各端子電極３〜６、及び各接続導体７，８を備えている。本変形例に係るコモンモードフィルタは、図１０及び図１１に示されるように、第一導体３１，３２と第二導体４１，４２とを備えている。
【００７２】
第一導体３１は、図１１の（ａ）にも示されるように、引出部３１ａ，３１ｂ及びコイル部３１ｃを有している。コイル部３１ｃは、一端が引出部３１ａの他端に接続され、他端が引出部３１ｂの他端に接続されている。コイル部３１ｃは、素体２の長手方向に延びる部分と、素体２の短手方向に延びる部分と、を含んでおり、略３／４ターンのパターンとされている。
【００７３】
第一導体３２は、図１１の（ｂ）にも示されるように、引出部３２ａ，３２ｂ及びコイル部３２ｃを有している。コイル部３２ｃは、一端が引出部３２ａの他端に接続され、他端が引出部３２ｂの他端に接続されている。コイル部３２ｃは、素体２の長手方向に延びる部分と、素体２の短手方向に延びる部分と、を含んでおり、略１／２ターンのパターンとされている。
【００７４】
第二導体４１は、図１１の（ｃ）にも示されるように、引出部４１ａ，４１ｂ及びコイル部４１ｃを有している。コイル部４１ｃは、一端が引出部３１ａの他端に接続され、他端が引出部３１ｂの他端に接続されている。コイル部３１ｃは、素体２の長手方向に延びる部分と、素体２の短手方向に延びる部分と、を含んでおり、略１／２ターンのパターンとされている。
【００７５】
第二導体４２は、図１１の（ｄ）にも示されるように、引出部４２ａ，４２ｂ及びコイル部４２ｃを有している。コイル部４２ｃは、一端が引出部４２ａの他端に接続され、他端が引出部４２ｂの他端に接続されている。コイル部４２ｃは、素体２の長手方向に延びる部分と、素体２の短手方向に延びる部分と、を含んでおり、略３／４ターンのパターンとされている。
【００７６】
第一コイルＣ１は、素体２内において、第一主面２ａ（第二主面２ｂ）に直交する方向、すなわち積層方向から見て、第四側面２ｆ寄りに位置している。第二コイルＣ２は、素体２内において、第一主面２ａ（第二主面２ｂ）に直交する方向、すなわち積層方向から見て、第三側面２ｅ寄りに位置している。
【００７７】
本変形例でも、第一導体３２と第二導体４１とは、積層方向で隣り合う部分を含んでいる。すなわち、第一導体３２と第二導体４１とは、第三及び第四側面２ｅ，２ｆの対向方向で中央領域に位置し且つ素体２の短手方向に延びる部分が積層方向で対向し且つ重なっている。各導体３２，４１において積層方向で重なる部分には、同じ方向（図１１中、矢印方向）に電流（コモンモードの電流成分）が流れる。図１１では、説明のため、各導体３２，４１において積層方向で重なる部分にハッチングが付されている。
【００７８】
したがって、第一導体３１，３２及び第一接続導体７を含んで構成される第一コイルＣ１と第二導体４１，４２及び第二接続導体８を含んで構成される第二コイルＣ２とは、積層方向において隣り合うように位置し且つ電流（コモンモードの電流成分）の向きが同一となる部分をそれぞれ有することとなる。第一コイルＣ１と第二コイルＣ２とが有する、電流（コモンモードの電流成分）の向きが同一となる上記部分は、素体２の短手方向に延びている。
【００７９】
以上のように、本変形例では、第一コイルＣ１と第二コイルＣ２とが、積層方向で隣り合うように位置し且つ電流（コモンモードの電流成分）の向きが同一となる部分をそれぞれ有しているので、当該部分によりコモンモードノイズに対してインダクタンスが発生し、コモンモードノイズの通過が阻止される。本変形例では、上述したように、スルーホール導体（スルーホール）を形成する必要がないため、製造コストの上昇を抑制することができる。
【００８０】
次に、図１２〜図１４を参照して、本実施形態の変形例に係るコモンモードフィルタＣＭＦ２の構成を説明する。図１２は、変形例に係るコモンモードフィルタを示す斜視図である。図１３は、変形例における、素体並びに第一及び第二導体の構成を示す分解斜視図である。図１４は、第一及び第二導体を示す平面図である。
【００８１】
コモンモードフィルタＣＭＦ３は、図１２に示されるように、素体２、第一入力端子電極３、第一出力端子電極４、第二入力端子電極５、第二出力端子電極６、第一接続導体７、及び第二接続導体８を備えている。
【００８２】
第一入力端子電極３、第二入力端子電極５、及び第一接続導体７は、素体２の第一側面２ｃ側に配置されている。第一入力端子電極３、第二入力端子電極５、及び第一接続導体７は、素体２の第一側面２ｃにおいて、第三側面２ｅから第四側面２ｆに向かう方向で、第一入力端子電極３、第一接続導体７、第二入力端子電極５の順で配置されている。第一出力端子電極４、第二出力端子電極６、及び第二接続導体８は、素体２の第二側面２ｄ側に配置されている。第一出力端子電極４、第二出力端子電極６、及び第二接続導体８は、素体２の第二側面２ｄにおいて、第三側面２ｅから第四側面２ｆに向かう方向で、第一出力端子電極４、第二接続導体８、第二出力端子電極６の順で配置されている。
【００８３】
コモンモードフィルタＣＭＦ３は、図１３及び図１４に示されるように、複数の第一導体５１，５２と複数の第二導体６１，６２とを備えている。コモンモードフィルタＣＭＦ３は、本実施形態では、二つの第一導体５１，５２と二つの第二導体６１，６２とを備えている。各導体５１，５２，６１，６２は、素体２内に配置されている。各導体５１，５２，６１，６２は、積層方向において異なる層に位置している。各導体５１，５２，６１，６２も、積層型の電気素子の内部電極として通常用いられる導電性材料からなる。各導体５１，５２，６１，６２は、導電性材料を含む導電性ペーストの焼結体として構成される。
【００８４】
第一導体５１と第一導体５２とは、積層方向に隣り合うように配置されている。第一導体５１と第一導体５２との間に位置する絶縁体層１０の数は、少なくとも一層あればよい。第二導体６１と第二導体６２は、積層方向に隣り合うように配置されている。第二導体６１と第二導体６２との間に位置する絶縁体層１０の数も、少なくとも一層あればよい。
【００８５】
第一導体５１，５２からなる導体群と、第二導体６１，６２からなる導体群と、の積層方向での間隔は、第一導体５１，５２同士の積層方向での間隔及び第二導体６１，６２同士の積層方向での間隔よりも大きく設定されている。すなわち、第一導体５１，５２からなる導体群と第二導体６１，６２からなる導体群とは、積層方向において、離されている。
【００８６】
第一導体５１は、図１４の（ｂ）にも示されるように、引出部５１ａ，５１ｂ及びコイル部５１ｃを有している。引出部５１ａは、その一端が第一側面２ｃに露出し、当該一端から第一及び第二側面２ｃ，２ｄの対向方向に延びるように形成されている。引出部５１ａは、第一側面２ｃに露出している一端で第一入力端子電極３に接続されている。引出部５１ｂは、その一端が第一側面２ｃに露出し、当該一端から第一及び第二側面２ｃ，２ｄの対向方向に延びるように形成されている。引出部５１ｂは、第一側面２ｃに露出している一端で第一接続導体７に接続されている。
【００８７】
コイル部５１ｃは、一端が引出部５１ａの他端に接続され、他端が引出部５１ｂの他端に接続されている。コイル部５１ｃは、素体２の長手方向に延びる部分と、素体２の短手方向に延びる部分と、を含んでおり、略３／４ターンのパターンとされている。
【００８８】
第一導体５２は、図１４の（ａ）に示されるように、引出部５２ａ，５２ｂ及びコイル部５２ｃを有している。引出部５２ａは、その一端が第一側面２ｃに露出し、当該一端から第一及び第二側面２ｃ，２ｄの対向方向に延びるように形成されている。引出部５２ａは、第一側面２ｃに露出している一端で第一接続導体７に接続されている。引出部５２ｂは、その一端が第二側面２ｄに露出し、当該一端から第一及び第二側面２ｃ，２ｄの対向方向に延びるように形成されている。引出部５２ｂは、第二側面２ｄに露出している一端で第一出力端子電極４に接続されている。
【００８９】
コイル部５２ｃは、一端が引出部５２ａの他端に接続され、他端が引出部５２ｂの他端に接続されている。コイル部５２ｃは、素体２の長手方向に延びる部分と、素体２の短手方向に延びる部分と、を含んでおり、略１／２ターンのパターンとされている。
【００９０】
第一導体５１，５２同士は、第一接続導体７により直列に接続されている。第一入力端子電極３と第一出力端子電極４とは、第一導体５１，５２と第一接続導体７とを介して、電気的に接続されている。これにより、第一導体５１，５２と第一接続導体７とは、第一コイルＣ１を構成し、第一コイルＣ１が、一端が第一入力端子電極３に接続され、他端が第一出力端子電極４に接続されることとなる。第一コイルＣ１は、素体２内において、第一主面２ａ（第二主面２ｂ）に直交する方向、すなわち積層方向から見て、第三側面２ｅ寄りに位置している。
【００９１】
第二導体６１は、図１４の（ｄ）にも示されるように、引出部６１ａ，６１ｂ及びコイル部６１ｃを有している。引出部６１ａは、その一端が第一側面２ｃに露出し、当該一端から第一及び第二側面２ｃ，２ｄの対向方向に延びるように形成されている。引出部６１ａは、第一側面２ｃに露出している一端で第二入力端子電極５に接続されている。引出部６１ｂは、その一端が第二側面２ｄに露出し、当該一端から第一及び第二側面２ｃ，２ｄの対向方向に延びるように形成されている。引出部６１ｂは、第二側面２ｄに露出している一端で第二接続導体８に接続されている。
【００９２】
コイル部６１ｃは、一端が引出部６１ａの他端に接続され、他端が引出部６１ｂの他端に接続されている。コイル部６１ｃは、素体２の長手方向に延びる部分と、素体２の短手方向に延びる部分と、を含んでおり、略１／２ターンのパターンとされている。
【００９３】
第二導体６２は、図１４の（ｃ）に示されるように、引出部６２ａ，６２ｂ及びコイル部６２ｃを有している。引出部６２ａは、その一端が第二側面２ｄに露出し、当該一端から第一及び第二側面２ｃ，２ｄの対向方向に延びるように形成されている。引出部６２ａは、第二側面２ｄに露出している一端で第二接続導体８に接続されている。引出部６２ｂは、その一端が第二側面２ｄに露出し、当該一端から第一及び第二側面２ｃ，２ｄの対向方向に延びるように形成されている。引出部６２ｂは、第二側面２ｄに露出している一端で第二出力端子電極６に接続されている。
【００９４】
コイル部６２ｃは、一端が引出部６２ａの他端に接続され、他端が引出部６２ｂの他端に接続されている。コイル部６２ｃは、素体２の長手方向に延びる部分と、素体２の短手方向に延びる部分と、を含んでおり、略３／４ターンのパターンとされている。
【００９５】
第二導体６１，６２同士は、第二接続導体８により直列に接続されている。第二入力端子電極５と第二出力端子電極６とは、第二導体６１，６２と第二接続導体８とを介して、電気的に接続されている。これにより、第二導体６１，６２と第二接続導体８とは、第二コイルＣ２を構成し、第二コイルＣ２が、一端が第二入力端子電極５に接続され、他端が第二出力端子電極６に接続されることとなる。第二コイルＣ２は、素体２内において、第一主面２ａ（第二主面２ｂ）に直交する方向、すなわち積層方向から見て、第四側面２ｆ寄りに位置している。
【００９６】
第一導体５１と第二導体６２とは、積層方向で隣り合う部分を含んでいる。すなわち、第一導体５１と第二導体６２とは、第三及び第四側面２ｅ，２ｆの対向方向で中央領域に位置し且つ素体２の短手方向に延びる部分が積層方向で対向し且つ重なっている。各導体５１，６２において積層方向で重なる部分には、同じ方向（図１４中、矢印方向）に電流（コモンモードの電流成分）が流れる。図１４では、説明のため、各導体５１，６２において積層方向で重なる部分にハッチングが付されている。
【００９７】
したがって、第一導体５１，５２及び第一接続導体７を含んで構成される第一コイルＣ１と第二導体６１，６２及び第二接続導体８を含んで構成される第二コイルＣ２とは、積層方向において隣り合うように位置し且つ電流（コモンモードの電流成分）の向きが同一となる部分をそれぞれ有することとなる。第一コイルＣ１と第二コイルＣ２とが有する、電流（コモンモードの電流成分）の向きが同一となる上記部分は、素体２の短手方向に延びている。
【００９８】
コモンモードフィルタＣＭＦ３でも、第二主面２ｂが、他の電子機器に対向する実装面となる。すなわち、コモンモードフィルタＣＭＦ３は、図１５に示されるように、第二主面２ｂが電子機器ＥＤ１と対向するように、はんだ付けなどにより実装される。コモンモードフィルタＣＭＦ３では、第一入力端子電極３、第一出力端子電極４、第二入力端子電極５、及び第二出力端子電極６が、電子機器ＥＤ１の対応するランド電極ＬＥに接続される。第一及び第二接続導体７，８は、電子機器ＥＤ１のランド電極には接続されない。
【００９９】
以上のように、本変形例でも、第一コイルＣ１と第二コイルＣ２とがそれぞれ有する、積層方向で隣り合うように位置し且つ電流（コモンモードの電流成分）の向きが同一となる部分によりコモンモードノイズに対してインダクタンスが発生し、コモンモードノイズの通過が阻止される。第一コイルＣ１を構成することとなる第一導体５１，５２が、素体２の第一側面２ｃに配置された第一接続導体７により直列に接続され、第二コイルＣ２を構成することとなる第二導体６１，６２が、素体２の第二側面２ｄに配置された第二接続導体８により直列に接続されている。このように、コモンモードフィルタＣＭＦ３でも、スルーホール導体（スルーホール）を形成する必要がないため、製造コストの上昇を抑制することができる。
【０１００】
第一導体５１，５２は、積層方向に隣り合うように配置され、第二導体６１，６２は、積層方向に隣り合うように配置されている。第一導体５１，５２からなる導体群と第二導体６１，６２からなる導体群との積層方向での間隔は、第一導体５１，５２同士の積層方向での間隔及び第二導体６１，６２同士の積層方向での間隔よりも大きく設定されており、第一導体５１，５２からなる導体群と第二導体６１，６２からなる導体群とは、積層方向において離されている。すなわち、第一コイルＣ１と第二コイルＣ２とは、積層方向に離れるように位置している。これにより、第一コイルＣ１と第二コイルＣ２とが積層方向に離れて位置することとなるので、ディファレンシャルモードでの特性悪化を抑制することができる。
【０１０１】
本変形例では、第一導体５２と第二導体６１とは、積層方向から見て、互いに重なり合う部分を有していない。このため、第一導体５２と第二導体６１とは、同じ層に位置させてもよい。
【０１０２】
次に、図１６〜図１８を参照して、本実施形態の変形例に係るコモンモードフィルタＣＭＦ４の構成を説明する。図１６は、変形例に係るコモンモードフィルタを示す斜視図である。図１７は、変形例における、素体並びに第一及び第二導体の構成を示す分解斜視図である。図１８は、第一及び第二導体を示す平面図である。
【０１０３】
コモンモードフィルタＣＭＦ４は、図１６に示されるように、素体２、第一入力端子電極３、第一出力端子電極４、第二入力端子電極５、第二出力端子電極６、第一接続導体７、及び第二接続導体８を備えている。
【０１０４】
第一入力端子電極３、第二入力端子電極５、及び第二接続導体８は、素体２の第一側面２ｃ側に配置されている。第一入力端子電極３、第二入力端子電極５、及び第二接続導体８は、素体２の第一側面２ｃにおいて、第三側面２ｅから第四側面２ｆに向かう方向で、第一入力端子電極３、第二接続導体８、第二入力端子電極５の順で配置されている。第一出力端子電極４、第二出力端子電極６、及び第一接続導体７は、素体２の第二側面２ｄ側に配置されている。第一出力端子電極４、第二出力端子電極６、及び第一接続導体７は、素体２の第二側面２ｄにおいて、第三側面２ｅから第四側面２ｆに向かう方向で、第一出力端子電極４、第一接続導体７、第二出力端子電極６の順で配置されている。
【０１０５】
コモンモードフィルタＣＭＦ４は、図１７及び図１８に示されるように、複数の第一導体７１，７２と複数の第二導体８１，８２とを備えている。コモンモードフィルタＣＭＦ４は、本実施形態では、二つの第一導体７１，７２と二つの第二導体８１，８２とを備えている。各導体７１，７２，８１，８２は、素体２内に配置されている。第一導体７１と第二導体８２とが積層方向において同じ層に位置し、第一導体７２と第二導体８１とが積層方向において同じ層に位置している。各導体７１，７２，８１，８２も、積層型の電気素子の内部電極として通常用いられる導電性材料からなる。各導体７１，７２，８１，８２は、導電性材料を含む導電性ペーストの焼結体として構成される。
【０１０６】
第一導体７１と第一導体７２とは、積層方向に隣り合うように配置されている。第一導体７１と第一導体７２との間に位置する絶縁体層１０の数は、少なくとも一層あればよい。第二導体８１と第二導体８２は、積層方向に隣り合うように配置されている。第二導体８１と第二導体８２との間に位置する絶縁体層１０の数も、少なくとも一層あればよい。
【０１０７】
第一導体７１は、図１８の（ａ）にも示されるように、引出部７１ａ，７１ｂ及びコイル部７１ｃを有している。引出部７１ａは、その一端が第一側面２ｃに露出し、当該一端から第一及び第二側面２ｃ，２ｄの対向方向に延びるように形成されている。引出部７１ａは、第一側面２ｃに露出している一端で第一入力端子電極３に接続されている。引出部７１ｂは、その一端が第二側面２ｄに露出し、当該一端から第一及び第二側面２ｃ，２ｄの対向方向に延びるように形成されている。引出部７１ｂは、第二側面２ｄに露出している一端で第一接続導体７に接続されている。
【０１０８】
コイル部７１ｃは、一端が引出部７１ａの他端に接続され、他端が引出部７１ｂの他端に接続されている。コイル部７１ｃは、素体２の長手方向に延びる部分と、素体２の短手方向に延びる部分と、を含んでおり、略１／２ターンのパターンとされている。
【０１０９】
第一導体７２は、図１８の（ｂ）に示されるように、引出部７２ａ，７２ｂ及びコイル部７２ｃを有している。引出部７２ａは、その一端が第二側面２ｄに露出し、当該一端から第一及び第二側面２ｃ，２ｄの対向方向に延びるように形成されている。引出部７２ａは、第二側面２ｄに露出している一端で第一接続導体７に接続されている。引出部７２ｂは、その一端が第二側面２ｄに露出し、当該一端から第一及び第二側面２ｃ，２ｄの対向方向に延びるように形成されている。引出部７２ｂは、第二側面２ｄに露出している一端で第一出力端子電極４に接続されている。
【０１１０】
コイル部７２ｃは、一端が引出部７２ａの他端に接続され、他端が引出部７２ｂの他端に接続されている。コイル部７２ｃは、素体２の長手方向に延びる部分と、素体２の短手方向に延びる部分と、を含んでおり、略３／４ターンのパターンとされている。
【０１１１】
第一導体７１，７２同士は、第一接続導体７により直列に接続されている。第一入力端子電極３と第一出力端子電極４とは、第一導体７１，７２と第一接続導体７とを介して、電気的に接続されている。これにより、第一導体７１，７２と第一接続導体７とは、第一コイルＣ１を構成し、第一コイルＣ１が、一端が第一入力端子電極３に接続され、他端が第一出力端子電極４に接続されることとなる。第一コイルＣ１は、素体２内において、第一主面２ａ（第二主面２ｂ）に直交する方向、すなわち積層方向から見て、第二側面２ｄ寄りに位置している。
【０１１２】
第二導体８１は、図１８の（ｂ）にも示されるように、引出部８１ａ，８１ｂ及びコイル部８１ｃを有している。引出部８１ａは、その一端が第一側面２ｃに露出し、当該一端から第一及び第二側面２ｃ，２ｄの対向方向に延びるように形成されている。引出部８１ａは、第一側面２ｃに露出している一端で第二入力端子電極５に接続されている。引出部８１ｂは、その一端が第一側面２ｃに露出し、当該一端から第一及び第二側面２ｃ，２ｄの対向方向に延びるように形成されている。引出部８１ｂは、第一側面２ｃに露出している一端で第二接続導体８に接続されている。
【０１１３】
コイル部８１ｃは、一端が引出部８１ａの他端に接続され、他端が引出部８１ｂの他端に接続されている。コイル部８１ｃは、素体２の長手方向に延びる部分と、素体２の短手方向に延びる部分と、を含んでおり、略３／４ターンのパターンとされている。
【０１１４】
第二導体８２は、図１８の（ａ）に示されるように、引出部８２ａ，８２ｂ及びコイル部８２ｃを有している。引出部８２ａは、その一端が第一側面２ｃに露出し、当該一端から第一及び第二側面２ｃ，２ｄの対向方向に延びるように形成されている。引出部８２ａは、第一側面２ｃに露出している一端で第二接続導体８に接続されている。引出部８２ｂは、その一端が第二側面２ｄに露出し、当該一端から第一及び第二側面２ｃ，２ｄの対向方向に延びるように形成されている。引出部８２ｂは、第二側面２ｄに露出している一端で第二出力端子電極６に接続されている。
【０１１５】
コイル部８２ｃは、一端が引出部８２ａの他端に接続され、他端が引出部８２ｂの他端に接続されている。コイル部８２ｃは、素体２の長手方向に延びる部分と、素体２の短手方向に延びる部分と、を含んでおり、略１／２ターンのパターンとされている。
【０１１６】
第二導体８１，８２同士は、第二接続導体８により直列に接続されている。第二入力端子電極５と第二出力端子電極６とは、第二導体８１，８２と第二接続導体８とを介して、電気的に接続されている。これにより、第二導体８１，８２と第二接続導体８とは、第二コイルＣ２を構成し、第二コイルＣ２が、一端が第二入力端子電極５に接続され、他端が第二出力端子電極６に接続されることとなる。第二コイルＣ２は、素体２内において、第一主面２ａ（第二主面２ｂ）に直交する方向、すなわち積層方向から見て、第一側面２ｃ寄りに位置している。
【０１１７】
第一導体７２と第二導体８１とは、同一層において隣り合う部分を含んでいる。すなわち、第一導体７２と第二導体８１とは、第一及び第二側面２ｃ，２ｄの対向方向で中央領域に位置し且つ素体２の長手方向に延びる部分が同一層で隣り合っている。第一導体７２と第二導体８１において同一層で隣り合っている部分には、同じ方向（図１８中、矢印方向）に電流（コモンモードの電流成分）が流れる。
【０１１８】
したがって、第一導体７１，７２及び第一接続導体７を含んで構成される第一コイルＣ１と第二導体８１，８２及び第二接続導体８を含んで構成される第二コイルＣ２とは、同一層で隣り合うように位置し且つ電流（コモンモードの電流成分）の向きが同一となる部分をそれぞれ有することとなる。第一コイルＣ１と第二コイルＣ２とが有する、電流（コモンモードの電流成分）の向きが同一となる上記部分は、素体２の長手方向に延びている。
【０１１９】
以上のように、本変形例では、第一コイルＣ１と第二コイルＣ２とが、同一層で隣り合うように位置し且つ電流（コモンモードの電流成分）の向きが同一となる部分をそれぞれ有しているので、当該部分によりコモンモードノイズに対してインダクタンスが発生し、コモンモードノイズの通過が阻止される。本変形例では、上述した実施形態と同様に、スルーホール導体（スルーホール）を形成する必要がないため、製造コストの上昇を抑制することができる。
【０１２０】
コモンモードフィルタＣＭＦ４でも、第一コイルＣ１と第二コイルＣ２とが有する、電流（コモンモードの電流成分）の向きが同一となる部分は、素体２の長手方向に延びている。これにより、発生するインダクタンスが大きく、コモンモードノイズの通過をより一層確実に阻止できる。
【０１２１】
次に、図１９〜図２１を参照して、本実施形態の変形例に係るコモンモードフィルタＣＭＦ５の構成を説明する。図１９は、変形例に係るコモンモードフィルタを示す斜視図である。図２０は、変形例における、素体並びに第一及び第二導体の構成を示す分解斜視図である。図２１は、第一及び第二導体を示す平面図である。
【０１２２】
コモンモードフィルタＣＭＦ５は、図１９に示されるように、素体２、第一入力端子電極３、第一出力端子電極４、第二入力端子電極５、第二出力端子電極６、第一接続導体７、及び第二接続導体８を備えている。
【０１２３】
第一入力端子電極３及び第二入力端子電極５は、素体２の第三側面２ｅ側に配置されている。第一出力端子電極４及び第二出力端子電極６は、素体２の第四側面２ｆ側に配置されている。第一接続導体７は、素体２の第一側面２ｃ側に配置されている。第二接続導体８は、素体２の第二側面２ｄ側に配置されている。
【０１２４】
コモンモードフィルタＣＭＦ５は、図２０及び図２１に示されるように、複数の第一導体９１，９２と複数の第二導体１０１，１０２とを備えている。コモンモードフィルタＣＭＦ５は、本実施形態では、二つの第一導体９１，９２と二つの第二導体１０１，１０２とを備えている。各導体９１，９２，１０１，１０２は、素体２内に配置されている。各導体９１，９２，１０１，１０２は、積層方向において異なる層に位置している。各導体９１，９２，１０１，１０２も、積層型の電気素子の内部電極として通常用いられる導電性材料からなる。各導体９１，９２，１０１，１０２は、導電性材料を含む導電性ペーストの焼結体として構成される。
【０１２５】
第一導体９１と第一導体９２とは、積層方向に隣り合うように配置されている。第一導体９１と第一導体９２との間に位置する絶縁体層１０の数は、少なくとも一層あればよい。第二導体１０１と第二導体１０２は、積層方向に隣り合うように配置されている。第二導体１０１と第二導体１０２との間に位置する絶縁体層１０の数も、少なくとも一層あればよい。
【０１２６】
第一導体９１，９２からなる導体群と、第二導体１０１，１０２からなる導体群と、の積層方向での間隔は、第一導体９１，９２同士の積層方向での間隔及び第二導体１０１，１０２同士の積層方向での間隔よりも大きく設定されている。すなわち、第一導体９１，９２からなる導体群と第二導体１０１，１０２からなる導体群とは、積層方向において、離されている。
【０１２７】
第一導体９１は、図２１の（ａ）にも示されるように、引出部９１ａ，９１ｂ及びコイル部９１ｃを有している。引出部９１ａは、その一端が第三側面２ｅに露出し、当該一端から第三及び第四側面２ｅ，２ｆの対向方向に延びるように形成されている。引出部９１ａは、第三側面２ｅに露出している一端で第一入力端子電極３に接続されている。引出部９１ｂは、その一端が第一側面２ｃに露出し、当該一端から第一及び第二側面２ｃ，２ｄの対向方向に延びるように形成されている。引出部９１ｂは、第一側面２ｃに露出している一端で第一接続導体７に接続されている。
【０１２８】
コイル部９１ｃは、一端が引出部９１ａの他端に接続され、他端が引出部９１ｂの他端に接続されている。コイル部９１ｃは、素体２の長手方向に延びる部分と、素体２の短手方向に延びる部分と、を含んでおり、略１／２ターンのパターンとされている。
【０１２９】
第一導体９２は、図２１の（ｂ）に示されるように、引出部９２ａ，９２ｂ及びコイル部９２ｃを有している。引出部９２ａは、その一端が第一側面２ｃに露出し、当該一端から第一及び第二側面２ｃ，２ｄの対向方向に延びるように形成されている。引出部９２ａは、第一側面２ｃに露出している一端で第一接続導体７に接続されている。引出部９２ｂは、その一端が第四側面２ｆに露出し、当該一端から第三及び第四側面２ｅ，２ｆの対向方向に延びるように形成されている。引出部９２ｂは、第四側面２ｆに露出している一端で第一出力端子電極４に接続されている。
【０１３０】
コイル部９２ｃは、一端が引出部９２ａの他端に接続され、他端が引出部９２ｂの他端に接続されている。コイル部９２ｃは、素体２の長手方向に延びる部分と、素体２の短手方向に延びる部分と、を含んでおり、略３／４ターンのパターンとされている。
【０１３１】
第一導体９１，９２同士は、第一接続導体７により直列に接続されている。第一入力端子電極３と第一出力端子電極４とは、第一導体９１，９２と第一接続導体７とを介して、電気的に接続されている。これにより、第一導体９１，９２と第一接続導体７とは、第一コイルＣ１を構成し、第一コイルＣ１が、一端が第一入力端子電極３に接続され、他端が第一出力端子電極４に接続されることとなる。第一コイルＣ１は、素体２内において、第一主面２ａ（第二主面２ｂ）に直交する方向、すなわち積層方向から見て、第三側面２ｅ寄りに位置している。
【０１３２】
第二導体１０１は、図２１の（ｃ）にも示されるように、引出部１０１ａ，１０１ｂ及びコイル部１０１ｃを有している。引出部１０１ａは、その一端が第三側面２ｅに露出し、当該一端から第三及び第四側面２ｅ，２ｆの対向方向に延びるように形成されている。引出部１０１ａは、第三側面２ｅに露出している一端で第二入力端子電極５に接続されている。引出部１０１ｂは、その一端が第二側面２ｄに露出し、当該一端から第一及び第二側面２ｃ，２ｄの対向方向に延びるように形成されている。引出部１０１ｂは、第二側面２ｄに露出している一端で第二接続導体８に接続されている。
【０１３３】
コイル部１０１ｃは、一端が引出部１０１ａの他端に接続され、他端が引出部１０１ｂの他端に接続されている。コイル部１０１ｃは、素体２の長手方向に延びる部分と、素体２の短手方向に延びる部分と、を含んでおり、略３／４ターンのパターンとされている。
【０１３４】
第二導体１０２は、図２１の（ｄ）に示されるように、引出部１０２ａ，１０２ｂ及びコイル部１０２ｃを有している。引出部１０２ａは、その一端が第二側面２ｄに露出し、当該一端から第一及び第二側面２ｃ，２ｄの対向方向に延びるように形成されている。引出部１０２ａは、第二側面２ｄに露出している一端で第二接続導体８に接続されている。引出部１０２ｂは、その一端が第四側面２ｆに露出し、当該一端から第三及び第四側面２ｅ，２ｆの対向方向に延びるように形成されている。引出部１０２ｂは、第四側面２ｆに露出している一端で第二出力端子電極６に接続されている。
【０１３５】
コイル部１０２ｃは、一端が引出部１０２ａの他端に接続され、他端が引出部１０２ｂの他端に接続されている。コイル部１０２ｃは、素体２の長手方向に延びる部分と、素体２の短手方向に延びる部分と、を含んでおり、略１／２ターンのパターンとされている。
【０１３６】
第二導体１０１，１０２同士は、第二接続導体８により直列に接続されている。第二入力端子電極５と第二出力端子電極６とは、第二導体１０１，１０２と第二接続導体８とを介して、電気的に接続されている。これにより、第二導体１０１，１０２と第二接続導体８とは、第二コイルＣ２を構成し、第二コイルＣ２が、一端が第二入力端子電極５に接続され、他端が第二出力端子電極６に接続されることとなる。第二コイルＣ２は、素体２内において、第一主面２ａ（第二主面２ｂ）に直交する方向、すなわち積層方向から見て、第四側面２ｆ寄りに位置している。
【０１３７】
第一導体９１と第二導体１０２とは、積層方向で隣り合う部分を含んでいる。すなわち、第一導体９１と第二導体１０２とは、第三及び第四側面２ｅ，２ｆの対向方向で中央領域に位置し且つ素体２の短手方向に延びる部分が積層方向で対向し且つ重なっている。各導体９１，１０２において積層方向で重なる部分には、同じ方向（図２１中、矢印方向）に電流（コモンモードの電流成分）が流れる。図２１でも、説明のため、各導体９１，１０２において積層方向で重なる部分にハッチングが付されている。
【０１３８】
したがって、第一導体９１，９２及び第一接続導体７を含んで構成される第一コイルＣ１と第二導体１０１，１０２及び第二接続導体８を含んで構成される第二コイルＣ２とは、積層方向において隣り合うように位置し且つ電流（コモンモードの電流成分）の向きが同一となる部分をそれぞれ有することとなる。第一コイルＣ１と第二コイルＣ２とが有する、電流（コモンモードの電流成分）の向きが同一となる上記部分は、素体２の短手方向に延びている。
【０１３９】
コモンモードフィルタＣＭＦ５でも、第二主面２ｂが、他の電子機器に対向する実装面となる。すなわち、コモンモードフィルタＣＭＦ５は、図２２に示されるように、第二主面２ｂが電子機器ＥＤ１と対向するように、はんだ付けなどにより実装される。コモンモードフィルタＣＭＦ５では、第一入力端子電極３、第一出力端子電極４、第二入力端子電極５、及び第二出力端子電極６が、電子機器ＥＤ１の対応するランド電極ＬＥに接続される。第一及び第二接続導体７，８は、電子機器ＥＤ１のランド電極には接続されない。
【０１４０】
以上のように、本変形例でも、第一コイルＣ１と第二コイルＣ２とがそれぞれ有する、積層方向で隣り合うように位置し且つ電流（コモンモードの電流成分）の向きが同一となる部分によりコモンモードノイズに対してインダクタンスが発生し、コモンモードノイズの通過が阻止される。第一コイルＣ１を構成することとなる第一導体９１，９２が、素体２の第一側面２ｃに配置された第一接続導体７により直列に接続され、第二コイルＣ２を構成することとなる第二導体１０１，１０２が、素体２の第二側面２ｄに配置された第二接続導体８により直列に接続されている。このように、コモンモードフィルタＣＭＦ５でも、スルーホール導体（スルーホール）を形成する必要がないため、製造コストの上昇を抑制することができる。
【０１４１】
第一導体９１，９２は、積層方向に隣り合うように配置され、第二導体１０１，１０２は、積層方向に隣り合うように配置されている。第一導体９１，９２からなる導体群と第二導体１０１，１０２からなる導体群との積層方向での間隔は、第一導体９１，９２同士の積層方向での間隔及び第二導体１０１，１０２同士の積層方向での間隔よりも大きく設定されており、第一導体９１，９２からなる導体群と第二導体１０１，１０２からなる導体群とは、積層方向において離されている。すなわち、第一コイルＣ１と第二コイルＣ２とは、積層方向に離れるように位置している。これにより、第一コイルＣ１と第二コイルＣ２とが積層方向に離れて位置することとなるので、ディファレンシャルモードでの特性悪化を抑制することができる。
【０１４２】
次に、図２３〜図２５を参照して、本実施形態の変形例に係るコモンモードフィルタＣＭＦ６の構成を説明する。図２３は、変形例に係るコモンモードフィルタを示す斜視図である。図２４は、変形例における、素体並びに第一及び第二導体の構成を示す分解斜視図である。図２５は、第一及び第二導体を示す平面図である。
【０１４３】
コモンモードフィルタＣＭＦ６は、図２３に示されるように、素体２、第一入力端子電極３、第一出力端子電極４、第二入力端子電極５、第二出力端子電極６、第一接続導体７、及び第二接続導体８を備えている。
【０１４４】
コモンモードフィルタＣＭＦ６は、図２４及び図２５に示されるように、複数の第一導体１１１，１１２と複数の第二導体１２１，１２２とを備えている。コモンモードフィルタＣＭＦ６は、本実施形態では、二つの第一導体１１１，１１２と二つの第二導体１２１，１２２とを備えている。各導体１１１，１１２，１２１，１２２は、素体２内に配置されている。各導体１１１，１１２，１２１，１２２は、積層方向において異なる層に位置している。各導体１１１，１１２，１２１，１２２も、積層型の電気素子の内部電極として通常用いられる導電性材料からなる。各導体１１１，１１２，１２１，１２２は、導電性材料を含む導電性ペーストの焼結体として構成される。
【０１４５】
第一導体１１１と第一導体１１２とは、積層方向に隣り合うように配置されている。第一導体１１１と第一導体１１２との間に位置する絶縁体層１０の数は、少なくとも一層あればよい。第二導体１２１と第二導体１２２は、積層方向に隣り合うように配置されている。第二導体１２１と第二導体１２２との間に位置する絶縁体層１０の数も、少なくとも一層あればよい。
【０１４６】
第一導体１１１，１１２からなる導体群と、第二導体１２１，１２２からなる導体群と、の積層方向での間隔は、第一導体１１１，１１２同士の積層方向での間隔及び第二導体１２１，１２２同士の積層方向での間隔よりも大きく設定されている。すなわち、第一導体１１１，１１２からなる導体群と第二導体１２１，１２２からなる導体群とは、積層方向において、離されている。
【０１４７】
第一導体１１１は、図２５の（ａ）にも示されるように、引出部１１１ａ，１１１ｂ及びコイル部１１１ｃを有している。引出部１１１ａは、その一端が第三側面２ｅに露出し、当該一端から第三及び第四側面２ｅ，２ｆの対向方向に延びるように形成されている。引出部１１１ａは、第三側面２ｅに露出している一端で第一入力端子電極３に接続されている。引出部１１１ｂは、その一端が第一側面２ｃに露出し、当該一端から第一及び第二側面２ｃ，２ｄの対向方向に延びるように形成されている。引出部１１１ｂは、第一側面２ｃに露出している一端で第一接続導体７に接続されている。
【０１４８】
コイル部１１１ｃは、一端が引出部１１１ａの他端に接続され、他端が引出部１１１ｂの他端に接続されている。コイル部１１１ｃは、素体２の長手方向に延びる部分と、素体２の短手方向に延びる部分と、を含んでおり、略３／４ターンのパターンとされている。
【０１４９】
第一導体１１２は、図２５の（ｂ）に示されるように、引出部１１２ａ，１１２ｂ及びコイル部１１２ｃを有している。引出部１１２ａは、その一端が第一側面２ｃに露出し、当該一端から第一及び第二側面２ｃ，２ｄの対向方向に延びるように形成されている。引出部１１２ａは、第一側面２ｃに露出している一端で第一接続導体７に接続されている。引出部１１２ｂは、その一端が第四側面２ｆに露出し、当該一端から第三及び第四側面２ｅ，２ｆの対向方向に延びるように形成されている。引出部１１２ｂは、第四側面２ｆに露出している一端で第一出力端子電極４に接続されている。
【０１５０】
コイル部１１２ｃは、一端が引出部１１２ａの他端に接続され、他端が引出部１１２ｂの他端に接続されている。コイル部１１２ｃは、素体２の長手方向に延びる部分と、素体２の短手方向に延びる部分と、を含んでおり、略３／４ターンのパターンとされている。
【０１５１】
第一導体１１１，１１２同士は、第一接続導体７により直列に接続されている。第一入力端子電極３と第一出力端子電極４とは、第一導体１１１，１１２と第一接続導体７とを介して、電気的に接続されている。これにより、第一導体１１１，１１２と第一接続導体７とは、第一コイルＣ１を構成し、第一コイルＣ１が、一端が第一入力端子電極３に接続され、他端が第一出力端子電極４に接続されることとなる。第一コイルＣ１は、素体２内において、第一主面２ａ（第二主面２ｂ）に直交する方向、すなわち積層方向から見て、第一側面２ｃ寄りに位置している。
【０１５２】
第二導体１２１は、図２５の（ｃ）にも示されるように、引出部１２１ａ，１２１ｂ及びコイル部１２１ｃを有している。引出部１２１ａは、その一端が第三側面２ｅに露出し、当該一端から第三及び第四側面２ｅ，２ｆの対向方向に延びるように形成されている。引出部１２１ａは、第三側面２ｅに露出している一端で第二入力端子電極５に接続されている。引出部１２１ｂは、その一端が第二側面２ｄに露出し、当該一端から第一及び第二側面２ｃ，２ｄの対向方向に延びるように形成されている。引出部１２１ｂは、第二側面２ｄに露出している一端で第二接続導体８に接続されている。
【０１５３】
コイル部１２１ｃは、一端が引出部１２１ａの他端に接続され、他端が引出部１２１ｂの他端に接続されている。コイル部１２１ｃは、素体２の長手方向に延びる部分と、素体２の短手方向に延びる部分と、を含んでおり、略３／４ターンのパターンとされている。
【０１５４】
第二導体１２２は、図２５の（ｄ）に示されるように、引出部１２２ａ，１２２ｂ及びコイル部１２２ｃを有している。引出部１２２ａは、その一端が第二側面２ｄに露出し、当該一端から第一及び第二側面２ｃ，２ｄの対向方向に延びるように形成されている。引出部１２２ａは、第二側面２ｄに露出している一端で第二接続導体８に接続されている。引出部１２２ｂは、その一端が第四側面２ｆに露出し、当該一端から第三及び第四側面２ｅ，２ｆの対向方向に延びるように形成されている。引出部１２２ｂは、第四側面２ｆに露出している一端で第二出力端子電極６に接続されている。
【０１５５】
コイル部１２２ｃは、一端が引出部１２２ａの他端に接続され、他端が引出部１２２ｂの他端に接続されている。コイル部１２２ｃは、素体２の長手方向に延びる部分と、素体２の短手方向に延びる部分と、を含んでおり、略３／４ターンのパターンとされている。
【０１５６】
第二導体１２１，１２２同士は、第二接続導体８により直列に接続されている。第二入力端子電極５と第二出力端子電極６とは、第二導体１２１，１２２と第二接続導体８とを介して、電気的に接続されている。これにより、第二導体１２１，１２２と第二接続導体８とは、第二コイルＣ２を構成し、第二コイルＣ２が、一端が第二入力端子電極５に接続され、他端が第二出力端子電極６に接続されることとなる。第二コイルＣ２は、素体２内において、第一主面２ａ（第二主面２ｂ）に直交する方向、すなわち積層方向から見て、第二側面２ｄ寄りに位置している。
【０１５７】
第一導体１１１，１１２と第二導体１２１，１２２とは、積層方向で隣り合う部分を含んでいる。すなわち、第一導体１１１，１１２と第二導体１２１，１２２とは、第一及び第二側面２ｃ，２ｄの対向方向で中央領域に位置し且つ素体２の短手方向に延びる部分が積層方向で対向し且つ重なっている。各導体１１１，１１２，１２１，１２２において積層方向で重なる部分には、同じ方向（図２５中、矢印方向）に電流（コモンモードの電流成分）が流れる。図２５でも、説明のため、各導体１１１，１１２，１２１，１２２において積層方向で重なる部分にハッチングが付されている。
【０１５８】
したがって、第一導体１１１，１１２及び第一接続導体７を含んで構成される第一コイルＣ１と第二導体１２１，１２２及び第二接続導体８を含んで構成される第二コイルＣ２とは、積層方向において隣り合うように位置し且つ電流（コモンモードの電流成分）の向きが同一となる部分をそれぞれ有することとなる。第一コイルＣ１と第二コイルＣ２とが有する、電流（コモンモードの電流成分）の向きが同一となる上記部分は、素体２の短手方向に延びている。
【０１５９】
以上のように、本変形例でも、第一コイルＣ１と第二コイルＣ２とがそれぞれ有する、積層方向で隣り合うように位置し且つ電流（コモンモードの電流成分）の向きが同一となる部分によりコモンモードノイズに対してインダクタンスが発生し、コモンモードノイズの通過が阻止される。本変形例でも、上述したように、スルーホール導体（スルーホール）を形成する必要がないため、製造コストの上昇を抑制することができる。
【０１６０】
第一導体１１１，１１２は、積層方向に隣り合うように配置され、第二導体１２１，１２２は、積層方向に隣り合うように配置されている。第一導体１１１，１１２からなる導体群と第二導体１２１，１２２からなる導体群との積層方向での間隔は、第一導体１１１，１１２同士の積層方向での間隔及び第二導体１２１，１２２同士の積層方向での間隔よりも大きく設定されており、第一導体１１１，１１２からなる導体群と第二導体１２１，１２２からなる導体群とは、積層方向において離されている。すなわち、第一コイルＣ１と第二コイルＣ２とは、積層方向に離れるように位置している。これにより、第一コイルＣ１と第二コイルＣ２とが積層方向に離れて位置することとなるので、ディファレンシャルモードでの特性悪化を抑制することができる。
【０１６１】
コモンモードフィルタＣＭＦ６でも、第一コイルＣ１と第二コイルＣ２とが有する、電流（コモンモードの電流成分）の向きが同一となる部分は、素体２の長手方向に延びている。これにより、発生するインダクタンスが大きく、コモンモードノイズの通過をより一層確実に阻止できる。
【０１６２】
ここで、本実施形態によって、コモンモードノイズの抑制効果が確保されることを、実施例によって、具体的に示す。実施例では、上述した本実施形態に係るコモンモードフィルタＣＭＦ１を用い、コモンモードノイズに対する減衰特性を測定した。
【０１６３】
測定結果を図２６に示す。図２６は、実施例におけるコモンモードノイズに対する減衰特性を示す線図である。図２６中、横軸は周波数（ＭＨｚ）を対数で表示し、縦軸は減衰量（ｄＢ）を線形表示している。図２６に示されるように、実施例では、５ＧＨｚでの減衰が深くなっており、コモンモードノイズの抑制効果が確保されることが確認された。
【０１６４】
以上、本発明の好適な実施形態について説明してきたが、本発明は必ずしも上述した実施形態に限定されるものではなく、その要旨を逸脱しない範囲で様々な変更が可能である。
【０１６５】
素体２（絶縁体層１０）を構成する材料は、上述した誘電体材料に限られない。たとえば、素体２（絶縁体層１０）を構成する材料は、Ｎｉ−Ｃｕ−Ｚｎ系フェライト、Ｎｉ−Ｃｕ−Ｚｎ−Ｍｇ系フェライト、Ｃｕ−Ｚｎ系フェライト、又はＮｉ−Ｃｕ系フェライトなどの磁性体材料若しくはＣｕ−Ｚｎ系フェライトなどの非磁性体材料であってもよい。ディファレンシャルモードでの特性悪化を抑制するためには、素体２（絶縁体層１０）を構成する材料は、誘電体材料などの非磁性体材料であることが好ましい。
【０１６６】
第一導体、第二導体、第一接続導体、及び第二接続導体の数は、上述した実施形態及び変形例での数に限られない。たとえば、第一及び第二導体の数がそれぞれ３つであり、第一及び第二接続導体の数が２つでもよい。
【０１６７】
第一コイルＣ１と第二コイルＣ２とが有する、電流（コモンモードの電流成分）の向きが同一となる部分は、素体２の対角線方向に延びていてもよい。これによっても、発生するインダクタンスが大きく、コモンモードノイズの通過をより一層確実に阻止できる。
【符号の説明】
【０１６８】
２…素体、３…第一入力端子電極、４…第一出力端子電極、５…第二入力端子電極、６…第二出力端子電極、７…第一接続導体、８…第二接続導体、１０…絶縁体層、１１，１，３１，３２，５１，５２，７１，７２，９１，９２，１１１，１１２…第一導体、２１，２２，４１，４２，６１，６２，８１，８２，１０１，１０２，１２１，１２２…第二導体、Ｃ１…第一コイル、Ｃ２…第二コイル、ＣＭＦ１，ＣＭＦ２，ＣＭＦ３，ＣＭＦ４，ＣＭＦ５，ＣＭＦ６…コモンモードフィルタ。
【図１】
2014013824.tif 000003
【図２】
2014013824.tif 000004
【図３】
2014013824.tif 000005
【図４】
2014013824.tif 000006
【図５】
2014013824.tif 000007
【図６】
2014013824.tif 000008
【図７】
2014013824.tif 000009
【図８】
2014013824.tif 000010
【図９】
2014013824.tif 000011
【図１０】
2014013824.tif 000012
【図１１】
2014013824.tif 000013
【図１２】
2014013824.tif 000014
【図１３】
2014013824.tif 000015
【図１４】
2014013824.tif 000016
【図１５】
2014013824.tif 000017
【図１６】
2014013824.tif 000018
【図１７】
2014013824.tif 000019
【図１８】
2014013824.tif 000020
【図１９】
2014013824.tif 000021
【図２０】
2014013824.tif 000022
【図２１】
2014013824.tif 000023
【図２２】
2014013824.tif 000024
【図２３】
2014013824.tif 000025
【図２４】
2014013824.tif 000026
【図２５】
2014013824.tif 000027
【図２６】
2014013824.tif 000028